(57)【要約】【課題】  ボード対ボード型コネクターのレセプターとプラグの嵌合時、クリック感をより向上させると共に、レセプターとプラグとの間の結合力を増大させることができるボード対ボード型コネクターを提供する。【解決手段】  プラグインシュレーターに形成された嵌合突起の先端部に位置するプラグコネクター部分に左右両側が外部に膨らんだ形状を有する押圧部を形成し、ソケットインシュレーターに形成された嵌合溝内に位置されるソケットコネクター部分には嵌合溝の内側面に沿って延びて、内側面の左右両側から各々嵌合溝の内側に向けて突出する第１屈曲部及び第２屈曲部を形成する。【選択図】図３
2004247304.tif 000002
【特許請求の範囲】
【請求項１】
各々インシュレーターと電気導体のコネクターとからなるレセプターとプラグが相互に結びついて、ソケットコネクターとプラグコネクターが互いに接触することにより、電気が通電できるようになったボード対ボード型コネクターにおいて、
前記プラグインシュレーターに形成された嵌合突起の先端部に位置されるプラグコネクターは左右両側が外部に膨らんだ形状を有するように形成された押圧部を具備し、
前記ソケットインシュレーターに形成された嵌合溝内に位置されるソケットコネクターは前記嵌合溝の内側面に沿って延びて、内側面の両側壁から各々嵌合溝の内側に向けて突出するように形成された第１屈曲部及び第２屈曲部を具備することを特徴とするボード対ボード型コネクター。
【請求項２】
前記プラグコネクターの押圧部と前記ソケットコネクターの第１屈曲部及び第２屈曲部は、ラウンド形状を有することを特徴とする請求項１に記載のボード対ボード型コネクター。
【請求項３】
前記押圧部の外径は、前記第１屈曲部と第２屈曲部の間隔より大きいことを特徴とする請求項１または２に記載のボード対ボード型コネクター。
【発明の詳細な説明】
【技術分野】
【０００１】
本発明はボード対ボード型コネクター（ｂｏａｒｄ  ｔｏ  ｂｏａｒｄ ｃｏｎｎｅｃｔｏｒ）に関するもので、より詳細にはボード対ボード型コネクターのレセプターとプラグとの嵌合時クリック感をより向上させると共に、レセプターとプラグとの間の結合力を増大させることができるボード対ボード型コネクターに関するものである。
【背景技術】
【０００２】
一般的にボード対ボード型コネクターは多様な回路が印刷されたボードとボードとを連結するのに用いられる。
このようなボード対ボード型コネクターは図１及び図２に示すように、レセプターとプラグとから構成され、プラグがレセプターに差し込まれることによって、互いに結びついて電気的に接続するようになる。
また、レセプターとプラグは各々ソケットインシュレーターとプラグインシュレーター３、１０と、電気導体のソケットコネクター７及びプラグコネクター１４からなり、ソケットコネクター７とプラグコネクター１４が接触して電気を通電する構造になっている。
すなわち、プラグインシュレーター１０には垂設された嵌合突起１２が形成され、ソケットインシュレーター３にはプラグインシュレーター１０の嵌合突起１２が嵌入される嵌合溝５が形成されている。
【０００３】
そして、プラグインシュレーター１０にはプラグコネクター１４が設けられる。このプラグコネクター１４はプラグインシュレーター１０の側部に露出する水平接触部１６と、この水平接触部１６から延びながら嵌合突起１２の一側外周面の周りに沿って位置する嵌合部１８と、前記嵌合突起１２の先端部に位置しながらその一部分が外部に膨らむように形成された押圧部１９を有する。
また、ソケットインシュレーター３にはソケットコネクター７が設けられる。このソケットコネクター７は嵌合溝５の内側部位に露出する屈曲部９と、この屈曲部９から延びながらソケットインシュレーター３の上部に露出する突出部８とを有する。
【０００４】
したがって、プラグインシュレーター１０の嵌合突起１２がソケットインシュレーター３の嵌合溝５に嵌入される過程において、ソケットコネクター７の屈曲部９はプラグコネクター１４の押圧部１９に押されながら弾力的にソケットインシュレーター３の内側に付勢される。次に、嵌合突起１２が嵌合溝５の内部に完全に挿入されれば、ソケットコネクター７の反撥力により屈曲部９がまた外方に突出する。それによって、押圧部１９は屈曲部９に係止されてプラグコネクター１４の離脱が阻止される。
この時、ソケットコネクター７の屈曲部９と、ここに接触されるプラグコネクター１４の押圧部１９は各々ラウンド形状になっていることによって、前述した嵌入過程がより容易にできる。
この過程でコネクターのクリック感（がきちんと嵌合する感じ）が生じる。すなわち、プラグとレセプターが完全に嵌合すれば、プラグコネクター１４の嵌合部１８と水平接触部１６が各々ソケットコネクター７の屈曲部９と突出部８に接触することによって、電気的に接続されるようになる。
この時、ソケットコネクター７の屈曲部９の反撥力により拘束力が生じてレセプターとプラグとの間の離脱が阻止される。
【０００５】
このようなボード対ボード型コネクターにおいては、コネクターの嵌合時に目で確認することができないため、結合状態の確認のためにはクリック感が非常に重要であり、所定以上の外力に対して拘束力を備えていていない場合は、レセプターとプラグが分離する恐れがある。
しかし、従来のボード対ボード型コネクターにおいては、ソケットコネクター７の屈曲部９による一方向の反撥力を利用するので、結合力を向上させるのには限界があるだけでなく、屈曲部９が一側にだけ設けられているので、クリック感を向上させるのに限界があるという問題点がある。
【特許文献１】特開平２−２７３０７３号公報（図１等）
【発明の開示】
【発明が解決しようとする課題】
【０００６】
このような問題点を解決するために、本発明の目的はボード対ボード型コネクターのレセプターとプラグとの嵌合時クリック感をより一層向上させると共に、レセプターとプラグとの間の結合力を増大させることができるボード対ボード型コネクターを提供することにある。
【課題を解決するための手段】
【０００７】
前述の目的を達成するために、請求項1に記載の本発明のボード対ボード型コネクターは、各々インシュレーターと電気導体のコネクターとからなるレセプターとプラグが相互に結びついて、ソケットコネクターとプラグコネクターが互いに接触することにより、電気が通電できるようになったボード対ボード型コネクターにおいて、前記プラグインシュレーターに形成された嵌合突起の先端部に位置されるプラグコネクターは左右両側が外部に膨らんだ形状を有するように形成された押圧部を具備し、前記ソケットインシュレーターに形成された嵌合溝内に位置されるソケットコネクターは前記嵌合溝の内側面に沿って延びて、内側面の両側壁から各々嵌合溝の内側に向けて突出するように形成された第１屈曲部及び第２屈曲部を具備することを特徴とする。
また、前記プラグコネクターの押圧部と前記ソケットコネクターの第１屈曲部及び第２屈曲部は、ラウンド形状を有することがいい。
さらに、前記押圧部の外径は、前記第１屈曲部と第２屈曲部の間隔より大きいことが好ましい。
【発明を実施するための最良の形態】
【０００８】
以下、図面を参照しながら本発明の好ましい実施の形態について説明する。
図３は本発明の実施の形態に係るボード対ボード型コネクターを示す斜視図であり、図４は本発明の実施の形態に係るボード対ボード型コネクターのレセプターを示す断面図であり、図５は本発明の実施の形態に係るボード対ボード型コネクターのプラグを示す断面図であり、図６は本発明の実施の形態に係るボード対ボード型コネクターのレセプターとプラグが嵌合する動作状態を示す図面であり、図７は従来のコネクターと本発明の実施の形態に係るコネクターの性能を示すグラフである。
【０００９】
まず、図３に示すように、本発明の実施の形態に係るボード対ボード型コネクターはレセプターとプラグとからなり、ソケットインシュレーター３０に形成された嵌合溝３２内にはプラグインシュレーター５０に形成された嵌合突起５２が嵌入されることによって、互いに嵌合される。
このように、レセプターとプラグが嵌合すれば、各インシュレーター３０、５０に設けられたソケットコネクター３４とプラグコネクター５４が相互接触することによって電気が通電できるようになる。
【００１０】
次に、各インシュレーター３０、５０に設けられるソケットコネクター３４とプラグコネクター５４の構造を調べてみる。
まず、図４に示すように、ソケットインシュレーター３０に設けられるソケットコネクター３４は、ソケットインシュレーター３０の側部にその一部分が露出した状態でソケットインシュレーター３０の内側に延びながらソケットインシュレーター３０の上部に露出する突出部３５を備えている。突出部３５から延びるソケットコネクター３４は、引き続きソケットインシュレーター３０に形成された嵌合溝３２の内側面に沿って延設される。
【００１１】
特に、嵌合溝３２内に位置されるソケットコネクター３４は、嵌合溝３２の内側面に沿って延び、内側面の左右両側から各々嵌合溝３２の内側中央に向けて突出しながら、第１屈曲部３６及び第２屈曲部３８を形成する。
【００１２】
すなわち、ソケットコネクター３４が嵌合溝３２の内壁面に沿って延びながら内部空間を取り囲むように配設されて、その左右両側には第１屈曲部３６と第２屈曲部３８が形成される。
この時、第１屈曲部３６及び第２屈曲部３８はラウンド形状を有することがより好ましい。
【００１３】
そして、図５に示すように、プラグインシュレーター５０に設けられるプラグコネクター５４はプラグインシュレーター５０の側部にその一部が露出する水平接触部５６と、この水平接触部５６から垂直下方に延びる垂直接触部５７と、嵌合突起５２の下段を覆うように延びる押圧部５９を具備する。したがって、水平接触部５６から延びるプラグコネクター５４はプラグインシュレーター５０の内側を経て垂直接触部５７に延びた後、押圧部 ５９を通じてプラグインシュレーター５０に形成された嵌合突起５２の外側面に沿って延設される。
特に、嵌合突起５２の先端部に位置されるプラグコネクター部分は円状をなしながら、その左右両側が外部に膨らんだ形状を有する押圧部５９として形成される。
このようなプラグコネクター５４の押圧部５９の外径は、ソケットコネクター３４の第１屈曲部３６と第２屈曲部３８との間隔より大きく形成することが好ましい。
【００１４】
以下、本発明の実施の形態の作動原理について詳細に説明する。
前述したように、本発明の実施の形態に係るボード対ボード型コネクターにおいては、ソケットコネクター３４がソケットインシュレーター３０の嵌合溝３２の内部面を取り囲んで配設されると共に、その左右両側には第１屈曲部３６と第２屈曲部３８が各々形成され、プラグコネクター５４がプラグインシュレーター５０の嵌合突起５２の外周面に沿って設けられ、その先端部は左右両側が外部に膨らんだ形状を有する押圧部５９として形成されている。
【００１５】
このように構成された状態で、図６に示すようにプラグの嵌合突起５２をソケットインシュレーター３０の嵌合溝３２に嵌入すれば、ソケットコネクター３４の第１屈曲部３６及び第２屈曲部３８はプラグコネクター５４の押圧部５９により付勢しながら弾性的に外方に押し出される。
この時、プラグコネクター５４の押圧部５９とソケットコネクター３４の第１屈曲部３６及び第２屈曲部３８はラウンド形状になっているので、一連の嵌入過程がより容易に行われる。
そして、プラグインシュレーター５０の嵌合突起５２が完全に挿入されれば、ソケットコネクター３４の第１屈曲部３６及び第２屈曲部３８は、自体の反撥力により内方に突出しながら、押圧部５９を介して嵌合突起５２の両面に係止されてレセプターとプラグとの間の離脱が阻止される。
【００１６】
このように、本発明の実施の形態は嵌合突起５２の両面に反撥力を持たせることによって、安定した拘束力を有するだけでなく、第１屈曲部３６及び第２屈曲部３８により二重の突起構造を有することによって、プラグとレセプターとの嵌合時クリック感を向上させることができる。
【００１７】
図７は従来のコネクターと本発明の実施の形態に係るコネクターの性能を比較して示すグラフである。このグラフにおいて、横軸はレセプターとプラグの嵌合進行程度として、“０”の場合はレセプターとプラグが完全に分離された状態、“１”の場合はレセプターとプラグが完全嵌合した状態を表す。また、縦軸はコネクターの力を表す。嵌合初期にはプラグコネクターの押圧部とソケットコネクターの屈曲部が接触する部分におけるコネクターの力が上昇しながら、クリック感が発生するようになる。
このグラフを参照すれば、本発明の実施の形態のコネクターは従来の一方向の反撥力を利用したコネクターに比べて、プラグとレセプターとの嵌合時、クリック感が２．５倍〜３．５倍上昇し、その結合力は１．５倍〜２．５倍程度上昇したことがわかる。
【００１８】
一方、本明細書内で本発明をいくつかの好ましい実施例によって記述したが、当業者ならば、添付の特許請求範囲に開示した本発明の範ちゅう及び思想から外れずに、多くの変形及び修正がなされ得ることがわかるはずである。
【００１９】
以上のように、本発明の実施の形態に係るボード対ボード型コネクターによれば、プラグの両側面に反撥力を持たせることによって安定した拘束力を有するようになり、それによって、プラグとレセプターとの間の結合力を増加させることができる。さらに、レセプタクルコネクタの二重突起構造によって、嵌合時のクリック感を上昇させることができる。
【図面の簡単な説明】
【００２０】
【図１】図１は従来のボード対ボード型コネクターを示す斜視図である。
【図２】図２は従来のボード対ボード型コネクターのレセプターとプラグが嵌合する動作状態を示す図面である。
【図３】図３は本発明の実施の形態に係るボード対ボード型コネクターを示す斜視図である。
【図４】図４は本発明の実施の形態に係るボード対ボード型コネクターのレセプターを示す断面図である。
【図５】図５は本発明の実施の形態に係るボード対ボード型コネクターのプラグを示す断面図である。
【図６】図６は本発明の実施の形態に係るボード対ボード型コネクターのレセプターとプラグが嵌合する動作状態を示す図面である。
【図７】図７は従来のコネクターと本発明の実施の形態に係るコネクターの性能を示すグラフである。
【符号の説明】
【００２１】
３０  ソケットインシュレーター
３２  嵌合溝
３４  ソケットコネクター
３６  第１屈曲部
３８  第２屈曲部
５０  プラグインシュレーター
５２  嵌合突起
５４  プラグコネクター
５９  押圧部
【図１】
2004247304.tif 000003
【図２】
2004247304.tif 000004
【図３】
2004247304.tif 000005
【図４】
2004247304.tif 000006
【図５】
2004247304.tif 000007
【図６】
2004247304.tif 000008
【図７】
2004247304.tif 000009